(57)【要約】【課題】  グラフィック画像の表示を伴う趣向を凝らした受信メールを表示できるとともに、メール送信者でメールに装飾を施している場合にはメール送信者の装飾意図から大きくずれた表示形態で受信メールが表示されるのを回避できる移動体通信端末を提供する。【解決手段】  グラフィックメール表示モードでは、表示対象のメールのメッセージ本文に、予め設定したキーワードが含まれている場合は、そのキーワードに対応するグラフィック画像を、メッセージ本文が表示されている画面の少なくとも一部に重ねて表示する。着信通知を受信したとき、着信通知にメッセージ本文の全文が含まれ続き受信が不要な場合には、グラフィックメール表示モードによるメッセージ本文の表示を許容する。着信通知にメッセージ本文の一部のみ含まれている場合又は添付ファイルがある場合には、グラフィックメール表示モードによるメッセージ本文の表示を禁止する。【選択図】  図６
2007233442.tif 000002
【特許請求の範囲】
【請求項１】
通信ネットワークを介してメールを送受信する通信手段と、メールを表示する表示手段とを備えた移動体通信端末であって、
表示対象のメールのメッセージ本文に、予め設定したキーワードが含まれているか否かを判断し、該キーワードが含まれている場合は、そのキーワードに対応するグラフィック画像を、該メッセージ本文が表示されている画面の少なくとも一部に重ねて表示するグラフィックメール表示モードを実行可能な制御手段を備え、
該制御手段は、メールのメッセージ本文の少なくとも一部を含む着信通知を受信したとき、該着信通知に該メッセージ本文の全文が含まれ続き受信が不要な場合に、該グラフィックメール表示モードによるメッセージ本文の表示を許容し、該着信通知に該メッセージ本文の一部のみ含まれている場合又は添付ファイルがある場合に、該グラフィックメール表示モードによるメッセージ本文の表示を禁止することを特徴とする移動体通信端末。
【請求項２】
請求項１の移動体通信端末において、
上記制御手段は、上記メッセージ本文の一部のみ含まれる着信通知に基づいて続き受信を行ったとき、添付ファイルがない場合に、上記グラフィックメール表示モードによるメッセージ本文の表示を許容し、添付ファイルがある場合に、該グラフィックメール表示モードによるメッセージ本文の表示を禁止することを特徴とする移動体通信端末。
【請求項３】
通信ネットワークを介してメールを送受信する通信手段と、メールを表示する表示手段とを備えた移動体通信端末であって、
表示対象のメールのメッセージ本文に、予め設定したキーワードが含まれているか否かを判断し、該キーワードが含まれている場合は、そのキーワードに対応するグラフィック画像を、該メッセージ本文が表示されている画面の少なくとも一部に重ねて表示するグラフィックメール表示モードを実行可能な制御手段を備え、
該制御手段は、メールの全体を受信したとき、添付ファイルがない場合に、該グラフィックメール表示モードによるメッセージ本文の表示を許容し、該添付ファイルがある場合に、該グラフィックメール表示モードによるメッセージ本文の表示を禁止することを特徴とする移動体通信端末。
【請求項４】
請求項１、２又は３の移動体通信端末において、
上記グラフィック画像は、アニメーション画像、３次元画像又はそれらを組み合わせた３次元アニメーション画像であることを特徴とする移動体通信端末。
【請求項５】
請求項１、２、３又は４の移動体通信端末において、
上記制御手段は、上記メッセージ本文を先頭から順次追加しながら表示していくとともに、該メッセージ本文の追加表示している１文字又は複数文字からなる追加表示文字部分が上記キーワードに該当する場合は、該キーワードに対応するグラフィック画像を該メッセージ本文に重ねて順次表示するように制御することを特徴とする移動体通信端末。
【発明の詳細な説明】
【技術分野】
【０００１】
本発明は、メールを受信可能な携帯電話機等の移動体通信端末に関するものである。
【背景技術】
【０００２】
従来、この種の移動体通信端末として、通信ネットワークを介して受信したメールを単にテキスト表示するのではなく、メールのメッセージ本文の内容に対応したグラフィック画像をディスプレイに表示する携帯電話機が知られている。例えば、メールに絵文字が含まれている場合にその絵文字に対応するグラフィック画像をディスプレイに表示する携帯電話機が知られている（例えば特許文献１参照）。
【特許文献１】特開２００４−２３４６１４号公報
【発明の開示】
【発明が解決しようとする課題】
【０００３】
ところが、上記従来の携帯電話機は、メールの受信側でメールに装飾を施して表示、受信したにおいてメッセージ本文の内容に対応したグラフィック画像を表示する場合、そのようなグラフィック画像の表示を伴うメール表示は時間を要する場合が多く、表示対象のメールの種類や表示タイミングによっては利用者に不快感を与えるおそれがある。
【０００４】
本発明の目的は、グラフィック画像の表示を伴う趣向を凝らした受信メールを表示できるとともに、メール送信者でメールに装飾を施している場合にはメール送信者の装飾意図から大きくずれた表示形態で受信メールが表示されるのを回避できる移動体通信端末を提供することである。
【課題を解決するための手段】
【０００５】
上記目的を達成するために、請求項１の発明は、通信ネットワークを介してメールを送受信する通信手段と、メールを表示する表示手段とを備えた移動体通信端末であって、表示対象のメールのメッセージ本文に、予め設定したキーワードが含まれているか否かを判断し、該キーワードが含まれている場合は、そのキーワードに対応するグラフィック画像を、該メッセージ本文が表示されている画面の少なくとも一部に重ねて表示するグラフィックメール表示モードを実行可能な制御手段を備え、該制御手段は、メールのメッセージ本文の少なくとも一部を含む着信通知を受信したとき、該着信通知に該メッセージ本文の全文が含まれ続き受信が不要な場合に、該グラフィックメール表示モードによるメッセージ本文の表示を許容し、該着信通知に該メッセージ本文の一部のみ含まれている場合又は添付ファイルがある場合に、該グラフィックメール表示モードによるメッセージ本文の表示を禁止することを特徴とするものである。
また、請求項２の発明は、請求項１の移動体通信端末において、上記制御手段は、上記メッセージ本文の一部のみ含まれる着信通知に基づいて続き受信を行ったとき、添付ファイルがない場合に、上記グラフィックメール表示モードによるメッセージ本文の表示を許容し、添付ファイルがある場合に、該グラフィックメール表示モードによるメッセージ本文の表示を禁止することを特徴とするものである。
また、請求項３の発明は、通信ネットワークを介してメールを送受信する通信手段と、メールを表示する表示手段とを備えた移動体通信端末であって、表示対象のメールのメッセージ本文に、予め設定したキーワードが含まれているか否かを判断し、該キーワードが含まれている場合は、そのキーワードに対応するグラフィック画像を、該メッセージ本文が表示されている画面の少なくとも一部に重ねて表示するグラフィックメール表示モードを実行可能な制御手段を備え、該制御手段は、メールの全体を受信したとき、添付ファイルがない場合に、該グラフィックメール表示モードによるメッセージ本文の表示を許容し、該添付ファイルがある場合に、該グラフィックメール表示モードによるメッセージ本文の表示を禁止することを特徴とするものである。
また、請求項４の発明は、請求項１、２又は３の移動体通信端末において、上記グラフィック画像は、アニメーション画像、３次元画像又はそれらを組み合わせた３次元アニメーション画像であることを特徴とするものである。
また、請求項５の発明は、請求項１、２、３又は４の移動体通信端末において、上記制御手段は、上記メッセージ本文を先頭から順次追加しながら表示していくとともに、該メッセージ本文の追加表示している１文字又は複数文字からなる追加表示文字部分が上記キーワードに該当する場合は、該キーワードに対応するグラフィック画像を該メッセージ本文に重ねて順次表示するように制御することを特徴とするものである。
【発明の効果】
【０００６】
本発明によれば、グラフィックメール表示モードにおいて、メールのメッセージ本文に所定のキーワードが含まれているか否かを判断し、そのキーワードが含まれている場合はそのキーワードに対応するグラフィック画像をメッセージ本文に重ねて表示することにより、メールの内容に応じてグラフィック画像を表示するという趣向を凝らしたメール表示が可能になる。しかも、メールのメッセージ本文の少なくとも一部を含む着信通知を受信したとき、その着信通知にメッセージ本文の全文が含まれ続き受信が不要な場合に、メール送信者でメールに装飾を施していないと判断されるため、上記グラフィックメール表示モードによるメッセージ本文の表示を許容している。一方、上記着信通知にメッセージ本文の一部のみ含まれている場合又は添付ファイルがある場合に、メール送信者でメールに装飾を施している可能性が高いため、グラフィックメール表示モードによるメッセージ本文の表示を禁止している。よって、メール送信者の装飾意図から大きくずれた表示形態で受信メールが表示されるのを回避できるという効果がある。
【発明を実施するための最良の形態】
【０００７】
以下、本発明を移動体通信端末としての携帯電話機に適用した実施形態について説明する。
図１は本実施形態に係る携帯電話機を用いたメール送受信の通信システムの一例を示す概略構成図である。この通信システムは、複数の携帯電話機１０と、移動体通信事業者によって管理されている移動体通信ネットワークとしての携帯電話通信網２０とを備えている。携帯電話通信網２０は、基地局２０１や図示しない交換機（回線交換機、パケット交換機）等を備え、図示しないゲートウェイサーバを介してインターネット３０や他の移動体通信事業者による携帯電話通信網４０に接続されている。また、携帯電話通信網２０及び携帯電話通信網４０には、ショートメッセージサービス（ＳＭＳ）等の携帯電話用のメールを処理する各種メールサーバ２１、４１が接続され、インターネット３０には、電子メールを処理するメールサーバ３１が接続されている。これらのメールサーバ２１，３１，４１を介して、携帯電話機１０は、各種通信端末との間で、電子メールやＳＭＳメールを送受信することができる。例えば、利用者Ａの携帯電話機１０Ａは、同一の移動体通信事業者と契約している携帯電話機との間で携帯電話通信網２０を介してメール送受信したり、他の移動体通信事業者と契約している携帯電話機との間で携帯電話通信網４０を介してメールを送受信したりすることができる。また、利用者Ａの携帯電話機１０Ａは、インターネット３０を介してパーソナルコンピュータとの間でメール送受信することもできる。
【０００８】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６とを備えている。
【０００９】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、各種処理を指示したり各種データを入力したりするときに利用者によって操作されるキー操作部１２６も接続されている。
【００１０】
上記内部メモリ１２１は、例えばＲＡＭやＲＯＭなどの半導体メモリで構成され、主制御部１２０で実行する制御プログラムや各種データを記憶するものである。なお、これらの記憶手段としては、上記内部メモリ１２１ではなく、携帯電話機本体に着脱可能なメモリーカード、ＩＣカード等の記憶媒体を用いてもよい。
【００１１】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存されている画像データ等に基づいて各種画像が表示される。
【００１２】
上記スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに含まれる絵文字に対応する効果音や音楽（楽曲、メロディ）を再生して出力するように、主制御部１２０で制御することができる。
【００１３】
なお、上記スピーカ１０９は、図３に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００１４】
上記キー操作部１２６は、データ入力キー（テンキー、＊キー、＃キー）１０３、通話開始キー１０４、終話キー１０５、スクロールキー１０６、多機能キー１０７等で構成され、利用者が通話開始、終話、メニュー選択、表示モードの切り換え等を指示したり情報を入力したりするときに用いられる。
【００１５】
上記マイク１０８は、利用者の音声を電気信号（アナログ信号）に変換する。マイク１０８から出力される音声の電気信号（アナログ信号）は、音信号処理部１２３に入力され、デジタル信号に変換される。
【００１６】
次に、上記構成の携帯電話機１０において、送信前メール、送信済みメール、受信メールなどのメールのメッセージ本文を表示部１２５に表示するときの制御について説明する。本実施形態では、利用者からの指示に基づき、メッセージ本文を先頭から順次追加しながら流れるように表示していく。そして、そのメッセージ本文の追加表示している１文字又は複数文字からなる追加表示文字部分が、予め設定したキーワードに該当する場合は、そのキーワードに対応するグラフィック画像をメッセージ本文に重ねて順次拡大表示するように制御する。
【００１７】
上記グラフィック画像は、例えば表示画像が時間的に変化するアニメーション画像や、３次元的にデザインされ立体的に視認される３次元画像である。グラフィック画像は、それらアニメーション画像と３次元画像とを組み合わせた３次元アニメーション画像であってもよい。この３次元アニメーション画像は、立体的に表示された３次元的なオブジェクト画像が拡大又は縮小するように変化したり、オブジェクト画像が回転するように変化したりする画像である。
【００１８】
表１は、上記メッセージ本文中に存在しているか否か判断されるキーワードと、そのキーワードが存在しているときに重ね表示されるグラフィック画像と、グラフィック画像の表示が終了してメッセージ本文の表示に戻ったときの文字との対応関係を例示したものである。表１に示すように、類似の外観又は概念を示す複数のキーワード（絵文字、テキスト、顔文字）については、それらを代表する一つのグラフィック画像である３次元アニメーション画像を対応させている。例えば、メッセージ本文中に、太陽の絵文字、日の出風景の絵文字、及び「朝」、「晴れ」、「おはよ」などのテキストに対して、太陽をモチーフにした３次元アニメーション画像を対応させている。
【００１９】
【表１】
2007233442.tif 000003
【００２０】
上記３次元アニメーション画像は、利用者が視認しやすいように、メッセージ本文を表示しているディスプレイ画面の中央に、予め設定しておいた所定時間だけ拡大表示される。この３次元アニメーション画像は、画面中央部に当初小さく表示され、あたかも利用者側に近づいてくるように次第に大きく表示するクローズアップ表示を行うようにしてもよい。また、上記３次元アニメーション画像は、回転などの３次元的な動きを行わせるように表示してもよい。各３次元アニメーション画像の表示が終わるときは、次のキーワード対応の３次元アニメーション画像を表示するために速やかに停止してもいいし、表示サイズを次第に小さくするようにフェードアウトさせて表示してもよい。
【００２１】
上記３次元アニメーション画像の表示が終わったら、それまで大きく表示していた３次元アニメーション画像に対応するキーワード（絵文字、テキスト、顔文字など）をメッセージ本文中の元の位置に戻し、メッセージ本文の残りの部分を順次追加表示していく。ここで、上記３次元アニメーション画像に対応するキーワードが絵文字の場合は、その３次元アニメーション画像を縮小した絵文字を、最終表示文字としてメッセージ本文中の元の位置に戻す。一方、３次元アニメーション画像に対応するキーワードがテキストや顔文字の場合は、上記絵文字の場合とは異なり、３次元アニメーション画像との外観上の違いが大きいので、元のテキストや顔文字をそのまま最終表示文字としてメッセージ本文中に戻している。これにより、３次元アニメーション画像の表示終了後に表示されるメッセージ本文とオリジナルのメッセージ本文とのギャップが大きくならないようにしている。
【００２２】
図４は、表示対象メールのメッセージ本文の解析及びグラフィック画像（３次元アニメーション画像）の表示を行う動作モードであるグラフィックメール表示モードにおける制御の一例を示すフローチャートである。
携帯電話機１０の利用者は、受信メール等のメール表示を指示するようにキー操作部１２６を操作する。主制御部１２０は、利用者によるメール表示指示を受け付け（Ｓ１０１）、予め設定されている所定の基準文字数についてメッセージ本文の解析及びグラフィック画像の表示に使用する空き領域が内部メモリ１２１にあるか否かを判断する（Ｓ１０２）。ここで、空き領域がない場合は、基準文字数を減らすように変更する（Ｓ１０３）。上記基準文字数は、携帯電話機１０に組み込まれている内部メモリ１２１の容量等を考慮して予め設定されている。例えば上記所定の基準文字数は１５０文字に設定される。
【００２３】
次に、主制御部１２０は、基準文字数の設定が完了したら、表示対象メールのメッセージ本文の文字数が予め設定された所定の基準文字数よりも多いか否かを判断する（Ｓ１０４）。ここで、メッセージ本文の文字数が基準文字数よりも多い場合は、基準文字数よりも多い部分を省略し、末尾にメールが途中である旨を示す情報（例えば、「・・・」：半角ピリオドの３連続）を付加するように、表示対象メールのメッセージ本文の文字数削減・末尾処理を行う（ステップ１０５）。一方、メッセージ本文の文字数が基準文字数以下の場合は、上記文字数削減・末尾処理を行わない。
【００２４】
次に、主制御部１２０は、表示対象メールのメッセージ本文について内容解析と表示部１２５への表示を開始する（Ｓ１０６）。メッセージ本文の表示は、図５（ａ）〜（ｅ）に示すように、先頭から順次追加しながら文字が流れるように行われる。そして、メッセージ本文の追加表示している１文字又は複数文字からなる追加表示文字部分が、前述の所定キーワードに該当する場合（Ｓ１０７でＹｅｓ）は、そのキーワードに対応するグラフィック画像（３次元アニメーション画像）がメッセージ本文に重ねて順次表示される（Ｓ１０８）。図５（ａ）に示すように、メッセージ本文中のテキスト「おはよ」がヒットすると、太陽をモチーフにした３次元アニメーション画像が前面に重ねて拡大表示される。そして、上記太陽の３次元アニメーション画像の表示が終了した後、上記「おはよ」がメッセージ本文に追加表示される。図５（ｂ）に示すように、キーワードに該当しない文字を表示しているときには、グラフィック画像（３次元アニメーション画像）の表示を行わないでメッセージ本文の表示を続ける。図５（ｃ）に示すように、メッセージ本文中の顔文字「(^o^)/」がヒットすると、その顔文字「(^o^)/」を図案化した３次元アニメーション画像が前面に重ねて拡大表示される。そして、上記顔文字の３次元アニメーション画像の表示が終了した後、元の顔文字「(^o^)/」がメッセージ本文に追加表示される。また、図５（ｄ）に示すように、メッセージ本文中の電車の絵文字が表示されるときには、その電車を立体的に見せるように３次元的にデザインした３次元アニメーション画像が前面に重ねて拡大表示される。そして、上記電車の３次元アニメーション画像の表示が終了した後、その電車の３次元アニメーション画像を縮小した絵文字がメッセージ本文に追加表示される。
【００２５】
上記グラフィック画像（３次元アニメーション画像）の拡大表示は、予め設定した表示時間だけ続けられ、その表示時間が経過したらメッセージ本文の追加表示の画面になる。このグラフィック画像表示後のメッセージ本文の追加表示は次のように行われる。図５（ａ）や図５（ｃ）のように重ね表示していたグラフィック画像に対応するキーワードがテキスト文字や顔文字の場合は、元の文字がそのままメッセージ本文に追加表示される。一方、図５（ｄ）のように重ね表示していたグラフィック画像に対応するキーワードが絵文字の場合は、その拡大表示していたグラフィック画像（３次元アニメーション画像）を縮小した絵文字がメッセージ本文に追加表示される。図５（ｅ）は表示対象のメッセージ本文の全体についてグラフィックメール表示が完了したときの画面を示している。
【００２６】
上記メッセージ本文の解析及び表示は、上記予め設定した基準文字数まで続けられる（Ｓ１０７〜Ｓ１１０）。図５（ｅ）はグラフィックメール表示が完了したときの画面を示している。なお、上記基準文字数のメッセージ本文を一画面で表示できない場合は、追加表示している文字部分が見えるように画面を自動スクロールするように表示制御される。
【００２７】
以上のように、受信メール等のメッセージ本文に所定のキーワードが含まれているか否かを判断し、そのキーワードが含まれている場合はそのキーワードに対応するグラフィック画像をメッセージ本文に重ねて表示する。これにより、メールのメッセージ本文の内容に応じてグラフィック画像を表示するという趣向を凝らしたメール表示が可能になる。しかも、上記メールのメッセージ本文の長短にかかわらず、上記キーワードが含まれているか否かの判定及び上記グラフィック画像の表示を、メッセージ本文の先頭から所定文字数の部分について行っている。従って、メッセージ本文の長短にかかわらず、上記判定や表示の処理に用いるデータ記憶領域を所定サイズ以下にすることができ、グラフィック画像を表示する趣向を凝らしたメール表示を確実に行うことができる。
【００２８】
また、本実施形態の携帯電話機は、携帯電話通信網側からメールの着信を通知する着信通知を受信したりメール全体を直接受信したりしたときに、それらの着信通知やメールの種類に応じてメール表示モードを切り換えるように制御している。本実施形態では、メールの種別としてＳＭＳ（ショートメッセージサービス）やＭＭ（マルチメディアメッセージ）を例示して説明するが、これらに限定されるものではない。上記ＳＭＳはサイズ制限（例えば１２８バイト）のあるショートメッセージである。上記ＭＭは、マルチメディアメッセージングサービス（ＭＭＳ）を利用し、テキスト、グラフィック、ビデオ、オーディオ等の複数のメディアタイプのデータを送受信可能なメッセージである。
【００２９】
図６は、着信通知やメールの種類に応じてメール表示モードを切り換える制御例のフローチャートである。携帯電話機１０が携帯電話通信網側のメールサーバ等からメール情報を受信すると、主制御部１２０は、そのメール情報の種別を判断する（Ｓ２０１，Ｓ２０２）。上記メール情報が、メールの着信を利用者に通知する着信通知（Notification）の場合、主制御部１２０は、着信通知にメッセージ本文の全文が含まれているか否か、すなわちメッセージ本文の続きがあるか否かを判断する（Ｓ２０３）。上記着信通知は、所定サイズのメッセージデータを含むことができ、着信したメールのメッセージ本文のサイズが小さい場合は、そのメッセージ本文の全文を含むことができる。メールのメッセージ本文のサイズが大きい場合は、そのメッセージ本文の一部すなわち先頭から所定文字数のメッセージ本文を含む。ここで、着信通知にメッセージ本文の全文が含まれ続き受信が不要な場合には（Ｓ２０３でＮｏ）、上記グラフィックメール表示モードによるメッセージ本文の表示が行われる（Ｓ２０４）。一方、着信通知にメッセージ本文の一部のみ含まれている場合又は添付ファイルがある場合、すなわち続き受信が必要となる場合には（Ｓ２０３でＹｅｓ）、グラフィックメール表示モードによるメッセージ本文の表示が禁止され、通常メール表示モードによるメールの本文の表示が行われる（Ｓ２０５）。
【００３０】
上記Ｓ２０２において、上記メール情報がＳＭＳであると判断した場合、主制御部１２０は、更にＳＭＳがメッセージクラス０であるか否か、利用者にシステムからの運用情報等を通知し、本文表示後に即時消去されるＳＭＳか否かを判断する（Ｓ２０６）。この判断は、ＳＭＳに含まれる制御情報に基づいて行うことができる。ここで、受信したＳＭＳがメッセージクラス０でない場合は、通常のＳＭＳであるので、上記グラフィックメール表示モードによるメッセージ本文の表示が行われる（Ｓ２０４）。一方、受信したＳＭＳがメッセージクラス０である場合は、メッセージ本文がネットワークからのシステム情報通知の内容であり、３次元装飾に適した内容ではないため、上記グラフィックメール表示モードによるメッセージ本文の表示が禁止され、通常メール表示モードによるメールのメッセージ本文の表示が行われる（Ｓ２０５）。
【００３１】
上記Ｓ２０２において、上記メール情報がＭＭであると判断した場合、主制御部１２０は、更にＭＭの種別を判断する（Ｓ２０７）。ここで、受信したＭＭがＨＴＭＬメールの場合は、メッセージ本文の装飾表示がＨＴＭＬで記述されているため、ＨＴＭＬメール表示モードでメールのメッセージ本文の表示が行われる（Ｓ２０８）。また、受信したＭＭがＳＭＩＬ（統合マルチメディア同期言語：Synchronized Multimedia Integration Language）メールの場合は、更にスライドの枚数が１枚か否かが判断される（Ｓ２０９）。スライドが１枚の場合は、上記グラフィックメール表示モードによるメッセージ本文の表示が行われる（Ｓ２０４）。一方、スライドが２枚以上の場合は、上記グラフィックメール表示モードによるメッセージ本文の表示が禁止され、ＳＭＩＬメール表示モードによるメールのメッセージ本文の表示が行われる（Ｓ２０５）。
【００３２】
なお、上記Ｓ２０７において、受信したＭＭがＨＴＭＬメール、ＳＭＩＬメール以外の添付ファイルのないＭＭであると判断した場合には、上記グラフィックメール表示モードによるメッセージ本文の表示が行われる（Ｓ２０４）。
【００３３】
以上、本実施形態によれば、メッセージ本文の表示に時間がかかってしまう傾向があるグラフィックメール表示モードと、グラフィック画像の表示を伴わない通常メール表示モードとを選択的に実行することができる。よって、表示時間が気になるようなタイミングにグラフィックメール表示モードを行わないようにしたり、グラフィックメール表示モードによる表示が不要なメールについては通常メール表示モードで表示したりすることできる。このようにグラフィック画像の表示を伴う趣向を凝らしたメール表示を適切なタイミング等で行うことが可能になる。
【００３４】
メールのメッセージ本文の少なくとも一部を含む着信通知を受信したとき、その着信通知にメッセージ本文の全文が含まれ続き受信が不要な場合に、メール送信者でメールに装飾を施していないと判断されるため、上記グラフィックメール表示モードによるメッセージ本文の表示を許容している。一方、上記着信通知にメッセージ本文の一部のみ含まれている場合又は添付ファイルがある場合に、メール送信者でメールに装飾を施している可能性が高いため、グラフィックメール表示モードによるメッセージ本文の表示を禁止している。よって、メール送信者の装飾意図から大きくずれた表示形態で受信メールが表示されるのを回避できる。
【００３５】
また、本実施形態によれば、上記メッセージ本文の一部のみ含まれる着信通知に基づいて続き受信を行ったとき、添付ファイルがない場合には、メール送信者でメールに装飾を施していないと判断されるため、上記グラフィックメール表示モードによるメッセージ本文の表示を許容している。一方、添付ファイルがある場合に、メール送信者でメールに装飾を施している可能性が高いため、グラフィックメール表示モードによるメッセージ本文の表示を禁止している。よって、着信通知後にメール全体を受信するために続き受信を行った場合において、メール送信者の装飾意図から大きくずれた表示形態で受信メールが表示されるのを回避できる。
【００３６】
また、本実施形態によれば、上記着信通知を受けずにメール全体を直接受信したとき、添付ファイルがない場合には、メール送信者でメールに装飾を施していないと判断されるため、上記グラフィックメール表示モードによるメッセージ本文の表示を許容している。一方、添付ファイルがある場合に、メール送信者でメールに装飾を施している可能性が高いため、グラフィックメール表示モードによるメッセージ本文の表示を禁止している。よって、着信通知を受けずにメール全体を直接受信した場合においても、メール送信者の装飾意図から大きくずれた表示形態で受信メールが表示されるのを回避できる。
【００３７】
また、本実施形態によれば、上記グラフィック画像として、アニメーション画像、３次元画像又はそれらを組み合わせた３次元アニメーション画像を表示することにより、メールのメッセージ本文の内容表示に変化や立体感を持たせたりすることができ、より趣向を凝らしたメッセージ本文の表示が可能になる。
【００３８】
また、本実施形態によれば、メッセージ本文を先頭から順次追加しながら流れるように文字表示するとともに、追加表示文字部分が所定のキーワードに該当する場合は、そのキーワードに対応するグラフィック画像をメッセージ本文に重ねて順次表示することにより、より趣向を凝らしたメッセージ本文の表示が可能になる。上記所定のキーワードが、コードデータからなり且つメール送信者側が伝えようとする内容の特定を１文字で容易に把握できる絵文字の場合、そのキーワードと上記グラフィック画像との対応付けや、上記追加表示文字分がキーワードに該当するか否かの判断が容易になる。
【００３９】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００４０】
例えば、本発明は、携帯電話機に限定することなく、メール送受信可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００４１】
また、上記移動体通信端末における制御は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００４２】
【図１】本発明の実施形態に係る携帯電話機を用いたメール送受信の通信システムの一例を示す概略構成図。
【図２】同携帯電話機の概略構成の一例を示すブロック図。
【図３】同携帯電話機の外観構成の一例を示す正面図。
【図４】グラフィックメール表示モードの制御の一例を示すフローチャート。
【図５】（ａ）乃至（ｅ）はグラフィックメール表示モードにおける画面の遷移の様子を示す説明図。
【図６】着信通知やメールの種類に応じてメール表示モードを切り換える制御例のフローチャート。
【符号の説明】
【００４３】
１０    携帯電話機
２０，４０    携帯電話通信網
２１，４１    メールサーバ
３０    インターネット
３１    メールサーバ
１２０    主制御部
１２１    内部メモリ
１２４    表示制御部
１２５    表示部
【図１】
2007233442.tif 000004
【図２】
2007233442.tif 000005
【図３】
2007233442.tif 000006
【図４】
2007233442.tif 000007
【図６】
2007233442.tif 000008
【図５】
2007233442.tif 000009